(57)【要約】【課題】高齢者などの昇降動作での安全性の向上と恐怖感を緩和し、使い勝手の工夫により効果的に力を入れ易くして身体への負担を軽減させる。【解決手段】連接固定手段を備える連接固定部材１１と縦手摺１２からなる縦手摺ユニット１と連結手段を備える連結部材２１と横手摺２２からなる横手摺ユニット２とを９０ｃｍ程度の間隔で階段数に応じて交互に配置して階段状に形成し、縦手摺１２と横手手摺２２の上下可動１２a・２２aを行い、最適な手摺高さ設定を可能にして保持させる手段を備えて構成した。【選択図】  図1
2013104184.tif 000002
【特許請求の範囲】
【請求項１】
縦方向に取り付けられる棒状の縦手摺と、
横方向に取り付けられる棒状の横手摺と、
縦手摺と横手摺とを連結する連結部材と、
縦手摺および横手摺の少なくとも一方を側壁に取付ける固定部材とを備え、
連接部材は縦手摺または横手摺に沿って移動可能で、
縦手摺と横手摺とが交互に階段状に取り付けられることを特徴とする階段手摺。 
【請求項２】
固定部材によって縦手摺が側壁に取り付けられ、連結部材が縦手摺に沿って移動可能である請求項１記載の階段手摺。 
【請求項３】
縦手摺の上下端の少なくとも一方が、横手摺の連結部よりも外方に突出している請求項１又は２記載の階段手摺。 
【請求項４】
横手摺の連結部からの、縦手摺の突出量は５ｃｍ〜４０ｃｍの範囲である請求項３記載の階段手摺。 
【請求項５】
横手摺の長さが、階段４段〜６段に対応する長さである請求項１〜４のいずれか１項に記載の階段手摺。 
【発明の詳細な説明】
【技術分野】
【０００１】
本発明は、階段手摺に関するもので、移動は手摺に手を沿えて滑らしながら行い、昇降動作は手摺を掴んで使用できるように両機能を兼ね備えた構成であり、また、手摺を上下
移動させて身体に合せた最適な手摺高さを設定し、加齢に伴う身体の変化にも対応した手摺高さ調整が容易であり、現場での施工を簡単にした階段手摺に関する。
【背景技術】
【０００２】
従来の階段手摺は、廊下手摺と同じように側壁に腰部近辺の高さで階段の傾斜角度に合せて傾斜して設置されており、健常者は手摺に手を沿えて滑らしながら歩行補助手摺と同じような使い方で使用されている。また、高齢者などは昇降動作時に手摺を握って力を入れて使用する場合が多く、現状の傾斜した階段手摺は握って力を入れるので握力を要し、握力が低下した人達には使い難いものになっている。高齢者などが使い易い階段手摺を実現させることを目的とした階段手摺について、次のような先行技術文献が公開されている。
【０００３】
以下、先行技術文献について説明する。「階段用手摺り（例えば、特許文献１）」は、握力の弱い者でも効果的に力を入れて階段の登り降りを安全に行えるように階段に応じて水平部材・垂直部材・連結部材の部材を用いて構成する。と記載されている。
【０００４】
また、「階段手摺り（例えば、特許文献２）」は、階段状に一体的に形成された階段の手摺りにおいて、隣接する水平部分の段差を階段２段分の段差にして従来手摺りよりも高所に設置することによって、手摺りを持った時の力が鉛直方向に加わり二段分で持ち変えることで階段が楽に上がれるようにする。と記載されているが、実施上の詳細な記述は省略されている。
【０００５】
更に、「階段の手すり構造及び握り部材（例えば、特許文献３）」は、老人であっても階段昇降動作を十分にアシストできる手摺り構造を提供する。と記載されており、握り部は水平部と垂直部を個々に設置した場合と握り部を階段に合せて連続して形成した場合で、このように特許文献１・２.３共、何れも詳細な実施例は省略されている。先行技術文献と本発明とは、以下に示すように機能及び構成が異なっている。
【先行技術文献】
【特許文献】
【０００６】
【特許文献１】特開平５−０３３４４５号公報
【特許文献２】特開平７−１３９１１６号公報
【特許文献３】特開平７−２６９０５６号公報
【発明の概要】
【発明が解決しようとする課題】
【０００７】
以上に述べた特許文献１〜３の課題は、階段の１段又は２段毎に水平握り部材と垂直握り部材で構成されており、その使い方は階段毎に水平握り部材を小刻みに持ち変えるので円滑な昇降動作が困難になり、このような握り部材の配置においては鉛直方向の力が入れ難く、両手使いの動作では水平部分の余裕が少なく窮屈感が伴う。階段状の水平握り部材と垂直握り部材に沿って手を滑らすのは円滑な手摺動作の妨げになり、握り部材と手が離れる事も予見され、使い勝手および安全性において十分な構成とは言い難い。階段形状に設置されている握り部材は恐怖感を排除する配慮が見受けられない。特許文献１〜３の実施例から判断すると部品構成などの実用性においても多くの課題が予想される。
【０００８】
本発明は、このような従来の構成が有していた課題を解決しようとすると同時に、次のような高齢者などが階段の昇降動作における使い勝手の工夫を行い、安全性の向上と恐怖感の緩和を目指している。力を入れ易く、小さい力で、安全で、安心して使用できる使い勝手の良い、簡素な部品で構成し、現場での施工が簡単な階段手摺りを現実化させて握力など体力の低下した高齢者などのニーズに応える。
【課題を解決するための手段】
【０００９】
上記目的を達成するのに、その課題を解決するための手段として、縦方向に取り付けられる棒状の縦手摺と、横方向に取り付けられる棒状の横手摺と、縦方向と横方向とを連結する連結部材と、縦手摺および横手摺の少なくとも一方を側壁に取付ける固定部材とを備え、連接部材は縦手摺または横手摺に沿って移動可能で、縦手摺と横手摺が交互に階段状に取り付けられる。
【００１０】
また、固定部材によって縦手摺が側壁に取り付けられ、連結部材が縦手摺に沿って移動可能である。
【００１１】
更に、縦手摺の上下端の少なくとも一方が、横手摺の連結部よりも外方に突出している。
【００１２】
更に、横手摺の連結部からの、縦手摺の突出量は５ｃｍ〜４０ｃｍの範囲である。
【００１３】
更に、横手摺の長さが、階段４段〜６段に対応する長さである。
【００１４】
更に、課題を解決するための手段について具体的な説明を以下に補足する。
【００１５】
固定部材は、円筒体と半球体で一体に形成され、その結合面に交差する方向に縦手摺が挿通される貫通穴と、貫通穴から離れた位置に着脱可能な固定座の装着穴を備えた本体と、側壁と本体に取付けられる固定座を備える。
【００１６】
また、連結部材は円筒体と半球体で一体に形成され、その結合面に交差する方向に縦手摺が挿通される貫通穴と、貫通穴から離れた位置に横手摺が取り付けられる受座を備える。
【００１７】
更に、コーナー連結部材は２ケの円筒体の４５°半径切欠き面どうしと１/４球体の平面を合せて一体に形成され、その結合面に交差する方向に縦手摺が挿通される貫通穴と、貫通穴から離れた位置の２方向に横手摺が取り付けられる受座を備える。
【発明の効果】
【００１８】
上述の手段による効果として、縦手摺と横手摺は昇降動作時に手が届く掴み易い位置で階段状に交互に配置されて縦手摺が横手摺の連結部よりも外方に突出しており、立ち姿勢および四つん這い姿勢の動作で階段を踏み外して身体のバランスが崩れた時など瞬時に手摺に掴まることができるので転倒および転落防止に役立つ。また、縦手摺の突出部は階段上部より見下ろした時の視線において安心感が得られ、恐怖感を和らげる。
【００１９】
また、昇降動作では、側壁に向かって左右に縦手摺と上部に横手摺が３方向に配置されており、片手または両手使いで手摺に対し力の入れ易い位置で手摺を掴んで動作を行い、次の位置まで手をずらして動作を行うことができる。この繰り返しによる円滑な階段移動を可能にして安全性の向上を図っている。
【００２０】
更に、使い勝手では、手摺を握らずに指を曲げて掴んで力を入れることができ、横手摺が低い位置にある場合、手摺上面に肘を当てて動作することも可能であり、四つん這い動作でも縦手摺を掴むことができる。横手摺が高い位置にある場合、日常の生活動作において横手摺を使って腕および背筋などの屈伸運動を行う事も可能。
【００２１】
実施例における部品構成では、従来のＬ型継手およびＴ型継手などを使用した場合、用途が異なるために不釣り合いで金具が大きく出っ張り美観が損なわれる。その欠点をカバーするために固定部材および連結部材などは、金具の出っ張りを減らしてシンプルで手摺に合った形状にし、その表面には装飾模様などを入れる事が可能であり意匠性を向上させインテリアとしての商品価値を高める。
【００２２】
また、施工およびメンテナンスでは、施工において簡素な部品構成にして芯出し・仮位置決め作業および取付作業が簡単になり、クロス張替作業などの際に固定部材を分離できるようにして縦手摺の着脱を可能にする。メンテナンスにおいて、従来手摺では作業が面倒なために高さ調整は殆ど行わず使用されているが、手摺高さの調整はユーザーが試用を行い縦手摺および横手摺を上下可動させて自身に合せた最適高さが設定でき、加齢に伴う身体の変化にも対応可能。
【図面の簡単な説明】
【００２３】
【図１】本発明の実施形態の一例を示す基本構成の斜視図
【図２】本発明の実施形態の一例を示す直進階段に設置した場合の斜視図
【図３】本発明の実施形態の一例を示す曲がり階段に設置した場合の斜視図
【図４】本発明の実施形態の一例を示す固定部材取付け部の斜視図
【図５】本発明の実施形態の一例を示す連結部材取付け部の斜視図
【図６】本発明の実施形態の一例を示すコーナー連結部材取付け部の斜視図
【図７】本発明の実施形態の一例を示す固定部材の外観斜視図
【図８】本発明の実施形態の一例を示す固定部材の断面斜視図
【図９】本発明の実施形態の一例を示す固定部材の仮止め斜視図
【図１０】本発明の実施形態の一例を示す連結部材の外観斜視図
【図１１】本発明の実施形態の一例を示す連結部材の二分割外観斜視図
【図１２】本発明の実施形態の一例を示す連結部材の二分割断面斜視図
【図１３】本発明の実施形態の一例を示す連結部材の仮止め斜視図
【図１４】本発明の実施形態の一例を示すコーナー連結部材の外観斜視図
【発明を実施するための形態】
【００２４】
本発明の実施形態の一例を図１〜図６に示し、更に実施形態の具体的な説明を図７〜図１４に基づいて補足する。
【００２５】
図１において、Ａは階段、Ｂは側壁、Ｃの階段手摺で示すように、縦方向に取り付けられる棒状の縦手摺１２と、横方向に取り付けられる棒状の横手摺２２と、縦手摺１２と横手摺２２とを連結する連結部材２１と、縦手摺１２および横手摺２２の少なくとも一方を側壁Ｂに取付ける固定部材１１とを備え、連結部材２１は縦手摺１２または横手摺２２に沿って移動可能１２ａ・２２ａで、縦手摺１２と横手摺２２とが交互に階段状に取り付けている。固定部材１１によって縦手摺１２が側壁Ｂに取り付けられ、連結部材２１が縦手摺に沿って移動２２ａを可能。縦手摺１２の上下端の少なくとも一方が、横手摺２２の連結部より外方に突出１２ｂしている。横手摺２２連結部からの、縦手摺１２の突出量１２ｂが５ｃｍ〜４０ｃｍの範囲である。縦手摺１２および横手摺２２の長さが、階段Ａの４段〜６段に対応する長さである。
【００２６】
図２で示すように縦手摺の設置間隔が複数有する直進階段では、階段Ａに応じて縦手摺ユニット１と横手摺ユニット２を交互に連結して構成し、住まいの一般的な階段に設置可能であり、縦手摺ユニット１および横手摺ユニット２を使用して廊下などの歩行手摺と連結して構成する事も可能。
【００２７】
図３は、曲がり階段に設置した場合を示し、踊り場などと階段段差の高さに応じてコーナー縦調整手摺３１およびコーナー横調整手摺３２を用いてコーナー連結部材３３で連結し、縦手摺１２と横手摺２２との縦方向および横方向の位置合せができるようにしており、コーナー連結部材３３は側壁Ｂのコーナー部に用いてコーナー縦調整手摺３１を可動可能に取付け、横手摺２２およびコーナー横調整手摺３２と連結して構成する。
【００２８】
図４は、固定部材１１取付け部の本体１１１と固定座１１２の分離状態を示し、その結合は装着穴１１１ｂに固定座１１２をはめ込み保持ねじ１１４で保持し、固定ねじ１１３を用いて側壁Ｂに固定する。縦手摺１２は保持ねじ１１５で保持する。
【００２９】
図５は、連結固定部材２１取付け部を示し、本体２１１は縦手摺１２を保持ねじ（締結ねじ）２１３で保持し、横手摺２２を取り付ける。
【００３０】
図６は、入り隅コーナー部でコーナー連結部材３３にコーナー縦調整手摺３１とコーナー横調整手摺３２と横手摺２２を取付けた状態を示す。
【００３１】
図７は、固定部材１１の外観を示し、本体１１１と固定座１１２と固定ねじ１１３と締結ねじ１１４と保持ねじ１１５で構成する。
【００３２】
図８は、本体１１１の断面図を示し、図９は本体１１１外観に仮釘挿入時を示す。本体１１１は円筒体と半球体で一体に形成され、その結合面に交差する方向に縦手摺１２が挿通される貫通穴１１１ａと、貫通穴１１１ａから離れた位置に着脱可能な固定座１１２の装着穴１１１ｂと締結穴１１１ｃと側壁面１１１ｄと保持穴１１１ｅと仮釘穴１１１ｆを設けて形成する。固定座１１２は壁受面１１２ａと固定ねじ穴１１２ｂと締結ねじ穴１１２ｃを設けて形成し、本体１１１と固定座１１２には仮釘穴１１１ｆ・１１２ｅを設けて仮釘１１６を打ち込んで仮止めができる。
【００３３】
図１０は、連結部材２１の外観を示し、図１３は仮釘の挿入時を示す。連結部材２１は本体２１１と固定ねじ２１２と保持ねじ（締結ねじ）２１３で構成しており、本体２１１は円筒体と半球体で一体に形成され、その結合面に交差する方向に貫通穴２１１ａと縦手摺１２が挿通される貫通穴２１１ａと、貫通穴２１１ａから離れた位置に受座２１１ｂと固定穴２１１ｃと保持穴２１１ｄを備えて形成し、固定ねじ２１２で横手摺２２を固定し、保持ねじ（締結ねじ）２１３で縦手摺１２を保持する。また、本体２１１には仮釘穴２１１ｈを設けて仮釘１１６を打ち込んで縦手摺１２との間で仮止めができる。
【００３４】
図１１は、連結部材２１の本体２１１を二分割した場合の外観を示し、図１２はその断面を示す。本体２１１と同じようにして固定部材１１の本体１１１も二分割した構成が可能とする。円筒体と半球体で一体に形成された本体２１１は、本体上２１１ｅと本体下２１１ｆに分割し、その結合部に位置決め片２１１ｇを設けている。縦手摺１２が挿通される貫通穴２１１ａと、貫通穴２１１ａから離れた位置２１１ｂと固定穴２１１ｃと保持穴２１１ｄを備えて形成し、固定ねじ２１２で横手摺２２を固定し、保持ねじ（締結ねじ）２１３で縦手摺１２を保持する。
【００３５】
図１４は、コーナー連結部材３３の外観を示しており、コーナー連結部材３３は貫通穴３３ａと保持穴３３ｂと受座３３ｃと固定ねじ穴３３ｄと受座３３ｅと固定ねじ穴３３ｆを設けて形成する。コーナー連結部材３３は踊り場などの側壁Ｂのコーナー部において縦手摺ユニット１と横手摺ユニット２との高さ寸法調整にコーナー縦調整手摺３１と横方向寸法調整を行うのにコーナー横調整手摺３２を使用し、側壁Ｂのコーナー部入隅及び出隅での連結が可能。
【００３６】
以下、上記構成の昇降動作について説明する。健常者が階段を昇降する時は、手摺に手を当てて滑らしながら移動できる階段手摺として使用できる。高齢者などが立ち姿勢で昇降動作を行う場合、手摺に対し出来るだけ直角方向で力を入れ易い位置で手摺を掴んで身体を引き寄せて持上げ一段ずつ上昇動作を行い、手をずらして移動を行い、この動作の繰り返しによって上昇移動を行う。横手摺が低い位置にある場合は、手摺に肘を当てて身体を持ち上げる動作ができ、四つん這いでは力を入れ易い位置で手摺を掴んで動作することができ、両手使い動作を容易にしており、使い勝手の工夫を施す。
【００３７】
また、階段を下る時は、階段上部で縦手摺を掴んで下降動作を始め、縦手摺ユニット１と横手摺ユニット２の長さは階段Ａの４段〜６段に相当する９０ｃｍ程度として、その間隔で交互に設置されて縦手摺１２は横手摺２２の連結部より突出量は５ｃｍ〜４０ｃｍの範囲で突出しており恐怖感を感じさせない段差形状に構成する。階段移動は手摺に対し出来るだけ直角方向で力の入れ易い位置で手摺を掴んで体重を支えながら一段ずつ下降して手摺を持ち替え、この繰り返し動作によって階段下降ができる。また、前記９０ｃｍ程度の間隔に縦手摺１２を設置した事によって両手を伸ばして手摺を交互に掴んで動作ができ、手と手摺が分離するのを防止して安全性の向上を図る。
【００３８】
以上のように、本実施形態によれば簡素で少ない部品で意匠性を高めて構成しており、着脱が可能であり、施工およびメンテナンスを容易にする。使い方では、健常者は手摺に手を沿えてガイドされ、高齢者などは体形・体力に応じた使い方ができる使い勝手の工夫を行った階段手摺として構築する。
【符号の説明】
【００３９】
Ａ  階段
Ｂ  側壁
Ｃ  階段手摺
１  縦手摺ユニット
１１  固定部材
１１１  本体
１１１ａ   縦手摺貫通穴（連接保持座）
１１１ｂ   装着穴
１１１ｃ   締結穴
１１１ｄ   側壁面
１１１ｅ   保持穴
１１１ｆ   仮釘穴
１１２  固定座
１１２ａ   壁受面
１１２ｂ   固定ねじ穴
１１２ｃ   締結ねじ穴
１１２ｅ   仮釘穴
１１３  固定ねじ
１１４  締結ねじ
１１５  保持ねじ
１１６  仮釘
１２  縦手摺
１２ａ  移動
１２ｂ  突出（突出量）
２  横手摺ユニット
２１  連結部材
２１１  本体
２１１ａ  貫通穴（連結保持座）
２１１ｂ  受座
２１１ｃ  固定穴
２１１ｄ  保持穴
２１１ｅ  本体上
２１１ｆ  本体下
２１１ｇ  位置決め片
２１１ｈ  仮釘穴
２１２  固定ねじ
２１３  保持ねじ（締結ねじ）
２２  横手摺
２２ａ  移動
３１  コーナー縦調整手摺
３２  コーナー横調整手摺
３３  コーナー連結部材
３３ａ  貫通穴
３３ｂ  保持穴
３３ｃ  受座
３３ｄ  固定穴
３３ｆ  固定穴
【図１】
2013104184.tif 000003
【図２】
2013104184.tif 000004
【図３】
2013104184.tif 000005
【図４】
2013104184.tif 000006
【図５】
2013104184.tif 000007
【図６】
2013104184.tif 000008
【図７】
2013104184.tif 000009
【図８】
2013104184.tif 000010
【図９】
2013104184.tif 000011
【図１０】
2013104184.tif 000012
【図１１】
2013104184.tif 000013
【図１２】
2013104184.tif 000014
【図１３】
2013104184.tif 000015
【図１４】
2013104184.tif 000016